(57)【要約】【課題】プレーヤがパッティングする際に、プレーヤの動きが規制されることのない自然な動きでパッティング操作することができるゴルフパターを提供することを目的とする。【解決手段】シャフトと、該シャフトの上部に備えられたグリップと、シャフトの下端部に取り付けられ、側面にゴルフボールを打球するパッティング面を有するパターヘッドとを備えたゴルフパターであって、前記シャフトの上部に備えられ、該シャフトより太い同軸上をストローク用の握り部とする縦軸グリップと、前記縦軸グリップから前記パッティング面が打球する打球方向に向けて延出された延出部を打球方向ガイド用の握り部とする横軸グリップとを備えたゴルフパターを構成する。【選択図】図１
2009247658.tif 000002
【特許請求の範囲】
【請求項１】
シャフトと、該シャフトの上部に備えられたグリップと、シャフトの下端部に取り付けられ、側面にゴルフボールを打球するパッティング面を有するパターヘッドとを備えたゴルフパターであって、
前記シャフトの上部に備えられ、該シャフトより太い同軸上をストローク用の握り部とする縦軸グリップと、
前記縦軸グリップから前記パッティング面が打球する打球方向に向けて延出された延出部を打球方向ガイド用の握り部とする横軸グリップとを備えて構成した
ゴルフパター。
【請求項２】
前記横軸グリップを縦軸グリップの上部側より延出させた
請求項１に記載のゴルフパター。
【請求項３】
前記横軸グリップを延出方向に湾曲させて形成した
請求項１に記載のゴルフパター。
【請求項４】
前記横軸グリップを前記縦軸グリップと同じ縦軸方向に回動自由に軸支して設けた
請求項１に記載のゴルフパター。
【請求項５】
前記横軸グリップを前記縦軸グリップに対して着脱自在に設けた
請求項１に記載のゴルフパター。
【発明の詳細な説明】
【技術分野】
【０００１】
この発明は、ゴルフやグランドゴルフなどに用いられるゴルフパターに関し、さらに詳しくはゴルフパターのグリップの改良に関する。
【背景技術】
【０００２】
一般に、ゴルフパターは１本の長いシャフトの上部にプレーヤが両手で包み込むように軽く握ることができる細い棒状のグリップを有し、該シャフトの下端部に、ゴルフボールを打つパターヘッドを有して構成されている。そして、パッティング時にプレーヤがゴルフボールを目標方向に正確に打つために特有のフォームを形作っていた。その一例として、プレーヤは両手のグリップの位置を頂点とする両腕ラインと、両肩を結ぶ水平ラインとを結ぶ逆三角形を作り、この逆三角形を保ったフォームでゴルフパターを打球方向にストロークすることで、プレーヤはゴルフパターとの一体感を作り出すことができ、これにより正確で安定したパッティングができるとされていた。
【０００３】
しかし、逆三角形を保つようなフォームでは、プレーヤは両腕を身体の中央前面に絞り込むように伸ばした肘関節が利用されない不自然な姿勢で打つことになり、腕の動きが規制されたフォームでゴルフパターをストロークするため、両腕だけでなく身体の動きも不自然なフォームになっていた。
【０００４】
この逆三角形を形作る例えば右利きプレーヤのフォームを分析してみた場合、両腕を共に伸ばした状態で１本の長いシャフトを両側から握るため、右手は掌がシャフトを動かす打球方向に向かうので自然な動きである。これに対し、左手は掌が反打球方向に向き、手の甲がシャフトを動かす方向に向かうので不自然な動きであり、左手は添えるだけで有効に利用されず、このアンバランスがパッティング操作を難しくさせる要因の１つになっていた。
【０００５】
近年、パッティング操作がし易いように、グリップ形状の改善を試みたゴルフパターが提供されている。例えば、長いシャフトの上部に、旋回自由な短い棒状のグリップを取付け、このグリップを水平にして片手で持ち、他方の手で旋回部を回動支点に垂直なシャフトを振り子状に旋回させることでシャフトの下部に設けられたパターヘッドを振り子状に動かしてゴルフボールを打球するものが知られている(例えば特許文献１参照)。
【０００６】
しかし、この場合はグリップを片手で持ち、他方の片手で旋回部を支点にシャフトを振り子状に旋回させるという構成のため、両手が別々の動きをしてゴルフボールを打球することになる。このため、プレーヤはゴルフパターとの一体感が得難く、安定したパッティング操作が得られなかった。
【０００７】
このほか、シャフトの上部に折曲部を形成し、その折曲した部分に対し、回動自由に軸支するグリップを付設して、該グリップを回動支点にシャフトを振り子状に回動させるようにしたゴルフ用パターが知られている(例えば特許文献２参照)。
【０００８】
この場合も、グリップを片手で持ち、他方の片手で軸支部を回動支点にシャフトを振り子状に動作させるという構成のため、両手が別々の動きをしてゴルフボールを打球することになる。このため、プレーヤはゴルフパターとの一体感が得難く、安定したパッティング操作が得られなかった。
【０００９】
さらに、シャフトの上部をＬ字状に折曲し、そのＬ字状の折曲した部分をグリップとして片手で吊り下げるように水平に持ち、他方の片手で垂直なシャフトを振り子動作させるという振り子型のゴルフパターが知られている(例えば特許文献３参照)。
【００１０】
この場合は、シャフトとグリップとが一体であるが、その使い方はグリップを支点として片手で支えるように持ち、他方の片手で垂直なシャフトを振り子動作させるように扱うものである。この際、グリップはパターヘッドのパッティング面に平行する向きになり、手で支えて振り子動作させることから不安定で打球操作が難しくなっていた。この場合も振り子動作ゆえに、両手が別々の動きをしてゴルフボールを打球することになり、プレーヤはゴルフパターとの一体感が得難く、安定したパッティング操作が得られなかった。
【００１１】
また、シャフトと同軸上に形成されたストローク用のグリップとは別に、シャフトの頂部に球形の支持用グリップを備え、左手の指で支持用グリップを吊り下げた状態で支え、右手でストローク用のグリップを持って振り子動作させるというゴルフ用パターが知られている(例えば特許文献４参照)。
【００１２】
しかし、この場合は同軸上の２つのグリップを、上下に離して形成したものであるため、両手の握り位置が同軸上に限定され、両手で長い棒状のシャフトを持つことになる。また、その使い方も球形の支持用グリップを回動支点としてシャフトを振り子動作させるため、この場合も両手が別々の動きをしてゴルフボールを打球することになる。このため、プレーヤはゴルフパターとの一体感が得難く、また安定したパッティング操作が得られない問題を有していた。
【特許文献１】特開昭５７−３１８７５号
【特許文献２】実用新案登録第３０９４６４１号
【特許文献３】特開２００４−１４１５９７号
【特許文献４】第２９２０１１７号
【発明の開示】
【発明が解決しようとする課題】
【００１３】
前記したように、ゴルフパターのグリップ形状の改良が試みられているが、依然として扱い難く、安定したパッティング操作が得られていないのが現状である。そこでこの発明は、プレーヤがパッティングする際に、プレーヤの動きが規制されることのない自然な動きでパッティング操作することができるゴルフパターを提供することを目的とする。
【課題を解決するための手段】
【００１４】
この発明は、シャフトと、該シャフトの上部に備えられたグリップと、シャフトの下端部に取り付けられ、側面にゴルフボールを打球するパッティング面を有するパターヘッドとを備えたゴルフパターであって、前記シャフトの上部に形成され、該シャフトより太い同軸上をストローク用の握り部とする縦軸グリップと、前記縦軸グリップから前記パッティング面が打球する打球方向に向けて延出される延出部を打球方向ガイド用の握り部とする横軸グリップとを備えて構成したゴルフパターであることを特徴とする。
【００１５】
このゴルフパターの説明に際して、以下、右利きプレーヤが使用するゴルフパターを例にとって説明する。このゴルフパターをプレーヤがパッティング姿勢で握る縦軸グリップに対し、プレーヤは右腕を下向きに伸ばした状態でゴルフパターの右側より、右手で該縦軸グリップを包み込むようにして握るものである。この場合、プレーヤの伸ばした右手で握ると同時に掌が自然に打球方向に向き、プレーヤが打球方向に力を加えて押すストローク用の握り部に適している。
【００１６】
また、ゴルフパターをプレーヤがパッティング姿勢で握る横軸グリップに対し、プレーヤは左肘を曲げた状態でゴルフパターの左側の上方より、左手で該横軸グリップを包み込むようにして握るものである。この場合、プレーヤが左肘を曲げて左手で握ると同時に掌が自然に下向きになり、上方から横軸グリップを自然に握ることができる。
【００１７】
さらに、横軸グリップはパターヘッドのパッティング面が打球する打球方向と同じ向きに延出されているため、プレーヤがアドレスした時に、横軸グリップの延出方向が打球方向を指し示すことになる。よって、この横軸グリップがパッティング時の方向指針となる。従って、プレーヤは横軸グリップを打球方向ガイド用の握り部として持つことができる。このため、プレーヤは目標方向に正確、且つ容易にアドレスすることができる。ことに、プレーヤは横軸グリップを左手で握った場合に、左肘を張ることができるのでゴルフパターとの一体感が増し、さらに左肘が打球方向に向くのでプレーヤの身体の向きも自然にパッティングに適切な方向に向き、左肘を曲げて横軸グリップを握った把持感覚が加味されることにより打球方向を正確に捉え易くなる。
【００１８】
ところで、プレーヤは両腕を伸ばしたままでストロークするのは不自然で不安定な動きになりやすいが、左肘を曲げられるようにすることにより、人体の動きに適した自然なパッティング姿勢が得られる。これは、人体の肘関節の動きが自然になるためである。
【００１９】
そして、プレーヤが縦軸グリップと横軸グリップとを握ったアドレス姿勢を考えてみた場合、縦軸グリップの右側から当てがうストローク用の右手と、打球すべき方向へと方向付けする打球方向ガイド用の左手との動きがゴルフパターを呼び込むようなパッティング姿勢になる。つまり、プレーヤがアドレスしたときには、横軸グリップに沿って左腕が左肘を頂点とするＶ字形になり、ストローク方向に対して、その始端側から終端側までのストローク動作に予め左腕が対応する形でガイドできるように存在することになる。これにより、ストローク間において左手が有効に活かされて安定したパッティング操作をすることができる。特に、プレーヤは右手で縦軸グリップを側方（横方向）から握り、横軸グリップを上方（縦方向）から握るので、ゴルフパターを異方向から持つことになり、プレーヤは立体的な握り感覚となり、打球方向に対するパッティング操作感覚が一層明瞭になる。
【００２０】
この発明の態様として、前記横軸グリップを縦軸グリップの上部側より延出させることができる。
【００２１】
この場合は、縦軸グリップを握る右手の掌の高さ位置と対応する高さ位置に、横軸グリップを握る左手の掌が対応する形となる。これにより、横軸グリップを握る左手で右側からの押す力(ストローク力)を受け止める形で握ることができるので、プレーヤはストローク方向に力が安定して加わり易くなり、ゴルフパターの操作感覚が向上する。
【００２２】
この発明の態様として、前記横軸グリップを延出方向に湾曲させて形成することができる。
【００２３】
この場合は、上方から握る左手の掌が横軸グリップの上面に接触する際に、横軸グリップが延出方向に湾曲していると、プレーヤは左斜め上方から握る場合に、その湾曲した部分に掌や指が滑らかに対応し、掌に馴染み良い握り易いグリップとなる。
【００２４】
この発明の態様として、前記横軸グリップを前記縦軸グリップと同じ縦軸方向に回動自由に軸支して構成することができる。  
この場合は、ゴルフパターの使用時のみ横軸グリップを横向きに延出させて使用することができる。一方、ゴルフパターの不使用時には横軸グリップを縦軸グリップと同じ縦向きに揃えて横方向のスペースをとらないように折り畳むことができる。このため、ゴルフパターをゴルフクラブに入れるような場合にスマートな棒状にしてコンパクトに入れることができる。よって、ゴルフパターをゴルフクラブに入れた際は他のクラブと干渉せずに取扱える。
【００２５】
この発明の態様として、前記横軸グリップを前記縦軸グリップに対し、着脱自在に構成することができる。  
この場合は、ゴルフパターの使用時に横軸グリップを取り付け、不使用時に横軸グリップを取り外すことができる。この横軸グリップの着脱手段としては、例えば縦軸グリップ側に雌ねじ孔を形成し、横軸グリップ側に雄ねじ軸を形成すれば、螺着接続により着脱できる。このほか、着脱部分を凹凸対応させても着脱自在に設けることができる。このようにゴルフパターの利用状態に応じて横軸グリップを着脱できるようにすれば、ゴルフパターの不使用時にあっては横軸グリップを取り外しておくことができるため、ゴルフパターをスマートな棒状にしてゴルフクラブに入れることができる。また、横軸グリップを取り外して縦軸グリップの頂部に連結するようにすれば、横軸グリップは縦軸グリップと一体化して紛失するようなおそれもない。
【発明の効果】
【００２６】
この発明によれば、プレーヤが横軸グリップを握ってアドレスする時点で、プレーヤは該横軸グリップが指し示す打球方向がガイドされる。このため、プレーヤは容易に目標方向に位置合せしてアドレスすることができる。また、プレーヤが横軸グリップを握った場合に、プレーヤの身体の向きも自然にパッティングに適した方向に向き、プレーヤの正確なアドレスを自然に行うことができる。さらに、プレーヤは横軸グリップを左手で握った場合に、左肘を張ることができるのでゴルフパターとの一体感が増し、安定したパッティング操作ができる。また、プレーヤがアドレスするときの目標方向が明確に得られることからプレーヤの不安な気持ちが低減される効果がある。
【実施例】
【００２７】
この発明の一実施例を以下図面に基づいて説明する。  
図１はゴルフパター１１を示す正面図であり、図２はゴルフパター１１の側面図であり、図３はゴルフパター１１の縦軸グリップ１２と横軸グリップ１３を示す要部拡大斜視図である。
【００２８】
このゴルフパター１１は、右利き用と左利き用とでは左右対称に形作られる同じものであるため、以下、右利きプレーヤが使用するゴルフパター１１を例にとって説明する。この右利き用のゴルフパター１１は、細長いシャフト１４の上部に縦軸グリップ１２と横軸グリップ１３を備え、該シャフト１４の下端部にパターヘッド１５を備えて構成される。
【００２９】
前記縦軸グリップ１２は、シャフト１４の上部にストローク用の握り部として、該シャフト１４より少し太くして握り易くし、さらに下方のパターヘッド１５に向かって先細となるように縦長の棒状に形成されている。また、該縦軸グリップ１２はシャフト１４の外周面にラバー等の滑り止め部材を被覆し、その断面形状の一例として断面四角形状に設けたものを示した。そして、この断面四角形状の右側面が打球方向に押すストローク面１２ａとなり、これとは反対側の左側面が後述する横軸グリップ１３の取付面１２ｂとなる。この縦軸グリップ１２の右側よりプレーヤの右手が当てがわれて軽く握られる。
【００３０】
前記横軸グリップ１３は、縦軸グリップ１２の取付面１２ｂの上部から打球方向Ｄに向けて略水平に延出させている。この横軸グリップ１３は打球方向ガイド用の握り部として延出されており、外周面はラバー等の滑り止め部材により被覆されている。また、断面形状は一例として断面四角形状に設けている。そして、この横軸グリップ１３の上方からプレーヤの左手が軽く当てがわれて握られる。
【００３１】
前記シャフト１４は、例えば金属製の細長い中空パイプにより構成され、プレーヤが立ち姿でストロークするのに適した一定の長さを有している。  
また、パターヘッド１５は、一定の重みを有してシャフト１４の下端部に取り付けられ、打球側となる一側面にゴルフボールＢを打球する垂直なパッティング面（パターフェイス）１５ａが形成されている。
【００３２】
図４はプレーヤＰがアドレスした状態を示す正面図であり、図５はプレーヤＰがストロークした状態を示す正面図であり、図６は横軸グリップ１３の延出方向とパッティング面１５ａの打球方向Ｄを示す説明図である。
【００３３】
次に、このように構成されたゴルフパター１１のグリップとプレーヤＰとの関係について具体的に説明する。  
プレーヤＰがゴルフパター１１を持ってアドレスする場合、まずプレーヤＰは図４に示すように、目標方向と平行になるように立ち、右手でゴルフパター１１の縦軸グリップ１２を握り、左手で横軸グリップ１３を握り、パターヘッド１５のパッティング面１５ａを打球方向に向けてゴルフボールＢと対応させる。このアドレス完了後に、図５に示すように、ゴルフパター１１のパターヘッド１５を目標方向にストロークさせることで、ゴルフボールＢを目標方向に打球するという手順をふまえている。
【００３４】
前記アドレス時に、プレーヤＰはゴルフパター１１をプレーヤＰの正面中央に起立させたパッティング姿勢において、プレーヤＰは右腕を下向きに伸ばした状態で縦軸グリップ１２の右側より、右手で該縦軸グリップ１２の外周囲を包み込むようにして軽く握るものである。この場合、プレーヤＰの伸ばした右手で握ると同時に掌が自然に打球方向に向くので、プレーヤＰが打球方向に力を加えて押すストローク用の握り部に適している。
【００３５】
ところが、この縦軸グリップ１２を左右から両手で握るのでは、両腕を共に棒状に伸ばして握ることになるのでストロークする場合に規制を多く受けてプレーヤＰの動きが不自然であり、また不安定なストロークになりやすい。そのために左手のグリップについては、以下のように工夫を施している。つまり、左手専用の横軸グリップ１３を備えることでプレーヤＰの左手の動きが自然で左肘などが打球ガイド用に有効に活かされて安定したストロークが得られるようにしたものである。
【００３６】
この横軸グリップ１３に対してはプレーヤＰがパッティング姿勢において、左肘を曲げたリラックスした姿勢でゴルフパター１１の左側の斜め上方より、左手で該横軸グリップ１３を握ることができる。この場合、プレーヤＰが左肘を曲げて左手で握ると同時に掌が自然に下向きになり、上方から横軸グリップ１３を自然に握ることができる。
【００３７】
また、この横軸グリップ１３は、図６に示すように、パターヘッド１１のパッティング面１５ａが打球する打球方向と同じ向きに延出されているため、プレーヤＰがアドレスした時に、横軸グリップ１３の延出方向が打球方向Ｄを指し示すことになり、この横軸グリップ１３がパッティング時の方向指針となる。従って、プレーヤＰは横軸グリップ１３を打球方向ガイド用の握り部として持つことができるので、ホールＨへの狙いが正確になり、プレーヤＰは目標方向に正確、且つ容易にアドレスすることができる。
【００３８】
さらに、プレーヤＰがパッティング時にアドレスするときの心理は、適正な距離感覚を持って目標方向に正確に打球することが要求されるためプレーヤＰは自ずと緊張感が高まり、心理的負担が大きくなる。このとき、プレーヤＰは下方のパッティング面１５ａを見ながらホール方向を見ることになるが、そのときの誤差を調整すべく見比べて位置合せするのではなく、左手で横軸グリップ１３の延出方向を目標方向に合わせるだけで、パッティング面１５ａが自然に目標方向に向くことになる。これにより、プレーヤＰは目標方向への位置合せが容易に行えることからアドレス時の心理的負担が軽減し、アドレスの容易化に伴いパッティング操作が安定する。
【００３９】
ことに、プレーヤＰがゴルフパター１１の横軸グリップ１３を握る左手との関係は、図４に示すように、主として左肩Ｌ１、左肘Ｌ２、左手Ｌ３が対応し、このうち左肘Ｌ２が打球方向Ｄに向くことになる。そして、左肘Ｌ２を打球方向Ｄに曲げることで、左肘Ｌ２を頂点とする左腕Ｌの三角形状で囲まれる打球方向ガイド空間Ｌ４(左肩Ｌ１、左肘Ｌ２、左手Ｌ３及び左胸を含む)を作り出して横軸グリップ１３を握ることができる。つまり、プレーヤＰは両腕を伸ばしたままでストロークするのは不自然で不安定な動きになりやすいが、左肘Ｌ２を曲げられるようにすることにより、左肘Ｌ２がストローク方向にガイドしながら円滑に動くことが可能になる打球方向ガイド空間Ｌ４を確保した人体の動きに適した自然なパッティング姿勢が得られる。そして、プレーヤＰは、この打球方向ガイド空間Ｌ４を形作る自然なフォームと、そのときに左肘Ｌ２を張ることができるのでゴルフパター１１との一体感が増し、さらに左肘Ｌ２が打球方向Ｄに向くのでプレーヤＰの身体の向きも自然にパッティングに適切な方向に向き、左肘を曲げて横軸グリップ１３を握った把持感覚が加味されることにより打球方向Ｄを正確に捉え易くなる。
【００４０】
そして、プレーヤＰが縦軸グリップ１３を握ったストローク用の右手Ｒ３と、打球すべき方向へと方向付けする打球方向ガイド用の左手Ｌ３との動きがゴルフパター１１を呼び込むようなパッティング姿勢になる。つまり、プレーヤＰがアドレスしたときには、横軸グリップ１３に沿って左腕Ｌが左肘Ｌ２を頂点とするＶ字形になり、ストローク方向に対して、その始端側から終端側までのストローク動作に予め左腕Ｌが対応する形でガイドできるように存在することになる。これにより、図４に示すアドレスしたストローク前の姿勢から図５に示すように、ゴルフボールＢを打ったストローク後の姿勢までのストローク間において、左手Ｌ３が有効に活かされて安定したパッティング操作をすることが可能になる。特に、プレーヤＰは右手Ｒ３で縦軸グリップ１２を打球方向Ｄの後方から握り、横軸グリップ１３を上方から握るので、プレーヤＰは立体的な握り感覚が得られ、打球方向に対する微妙なパッティング操作感触が明瞭になる。
【００４１】
また、横軸グリップ１３を縦軸グリップ１２の上部側より延出させているため、縦軸グリップ１２を握る右手Ｒ３の掌の位置と対応する高さ位置に、横軸グリップ１３を握る左手の掌が対応する形となる。具体的には、縦軸グリップ１２を握る右手Ｒ３の掌の位置と、横軸グリップ１３を握る左手Ｌ３の掌の位置とが異方向から近づいて左右の手Ｒ３，Ｌ３の微妙な力の伝達具合が安定し、プレーヤＰはストローク方向に力が安定して加わり易くなり、ゴルフパターの操作感覚が向上する。
【００４２】
さらに、プレーヤＰが目標方向に正確にアドレスすることに際しては、パターヘッド１５に打球方向に向く目印を施したり、新たな方向ガイド部材を付設したりするような必要もない。すなわち、プレーヤＰがアドレスした起立姿勢から見下ろした地面付近での打球方向Ｄを目で見て打球方向を特定しようとするものではなく、ゴルフパターのグリップに打球方向を特定するための工夫が施されたものであり、ゴルフパターの打球方向をシャフト１４の上部で自然にガイドすることができるものである。
【００４３】
次に、横軸グリップの他の例について説明する。  
図７は断面円形の縦軸グリップ７１と同じく断面円形の横軸グリップ７２とで構成されるグリップを示した要部拡大斜視図である。このように、縦横の両グリップ７１，７２は円形に設けてもよく、また断面楕円形や多角形でもよく、握り易い形状であればよい。このほか、縦軸グリップ７１より横軸グリップ７２を細軸あるいは太軸にしてもよく、さらに指の握り形状に合わせた波形などの形状に設けることもできる。
【００４４】
図８は断面円形の縦軸グリップ８１の頂部に断面円形の横軸グリップ８２を水平に延出させた要部拡大斜視図である。この場合は、縦横のグリップ８１，８２により逆Ｌ形状に設けられ、シンプルで見栄えのよいグリップとなる。
【００４５】
図９は断面円形の縦軸グリップ９１と先端側をＰ字形に湾曲させてなる横軸グリップ９２を示す要部拡大斜視図である。この場合は、横方向に上下２本の延出したグリップ９１，９２が形成されることになり、このうち握り易い一方を選択して握ることができる。さらに、横軸グリップ９２の先端側にＰ字形の湾曲部９３を有しているため、斜め上方から握る左手の掌が横軸グリップ９２の上面に接触する際に、横軸グリップ９２が延出方向に湾曲していると、その湾曲部９３に掌や指の曲げた形が対応し易くなり、掌に馴染み良い握り易いグリップとなる。
【００４６】
図１０は断面円形の縦軸グリップ１０１と先端側を逆つ字形に湾曲させてなる横軸グリップ１０２を示す要部拡大斜視図である。この場合も、横軸グリップ１０２の先端側に逆つ字形の湾曲部１０３を有しているため、斜め上方から握る左手の掌が横軸グリップ１０２の上面に接触する際に、横軸グリップ１０２が延出方向に湾曲していると、その湾曲部１０３に掌や指の曲げた形が対応し易くなり、握り感触のよいグリップとなる。
【００４７】
図１１は縦軸グリップ１１１と同じ向きに横軸グリップ１１２を回動自由に軸支して折り畳めるように構成した横軸グリップ１１２の説明図である。この横軸グリップ１１２の折り畳み構造は、横軸グリップ１１２を回動自由に支持する回動支持手段により構成される。
【００４８】
この回動支持手段は、垂直に固定されている縦軸グリップ１１１の上部を回動支点とし、該回動支点を軸支部として横軸グリップ１１２の一端が回動自由に連結されている。これにより、横軸グリップ１１２は縦向きの折り畳み位置(不使用位置)と、横向きの使用位置とに切替えられる。
【００４９】
前記回動支持手段の具体的な構成例を以下に示す。まず、縦軸グリップ１１１は、該縦軸グリップ１１１の頂部から下向きにＵ字形溝１１３を切欠き形成し、該Ｕ字形溝内の対向面間に水平に支点ピン１１４を架設している。また、Ｕ字形溝１１３の内面には、支点ピン１１４を中心とする上部位置と横部位置に後述する横軸グリップ１１２を位置決め固定するための半球形のロック孔(図面省略)を形成している。
【００５０】
上述の横軸グリップ１１２は、図１１(Ａ)に示すように、前記Ｕ字形溝１１３に挿入可能な大きさの連結片１１５を一端面に突設し、該連結片１１５の軸支方向を貫通して形成した軸支孔１１６が前記支点ピン１１４に回動自由に軸支されている。そして、この支点ピン１１４を回動支点として横軸グリップ１１２は、図１１(Ａ)に示した横方向と、図１１(Ｂ)に示した縦方向とに回動させることができる。
【００５１】
なお、支点ピン１１４を支持するＵ字形溝１１３の内面には、支点ピン１１４を上下方向にスライドさせる長溝（図面省略）を有しており、横軸グリップ１１２が縦方向に回動した直後に、支点ピン１１４を長溝に沿ってスライドさせることができる昇降支持構造を有している。このため、横軸グリップ１１２が図１１(Ｂ)に示す縦方向に回動した直後から図１１(Ｃ)に示すように、横軸グリップ１１２を下方に押込むことで、連結片１１５の露出をなくし、見栄えを良くすることができるようにしている。
【００５２】
さらに、連結片１１５の軸支孔１１６の近傍には該連結片１１５に内蔵されたバネ(図面省略)で連結片１１５の厚み方向の両面から外向きに付勢して、半球形に突出させたロック突起１１７を有しており、該ロック突起１１７が水平位置(図１１(Ａ)参照)と垂直位置(図１１(Ｃ)参照)とで前記ロック孔にそれぞれ対応して、横軸グリップ１１２が縦向きと横向きの何れかの向きに位置決めされる。
【００５３】
従って、プレーヤはゴルフパターの使用時のみ横軸グリップ１１２を横向きに倒して本来の使用可能なグリップ形状にすることができる。一方、ゴルフパターの不使用時には横軸グリップ１１２を縦軸グリップ１１１と同じ縦向きに回動させて揃えることができる。これにより、ゴルフパターの不使用時には横方向のスペースをできるだけとらないようにコンパクトに折り畳むことができ、ゴルフクラブへの収納にも適している。
【００５４】
図１２は縦軸グリップ１２１と同じ向きに横軸グリップ１２２を回動自由に軸支して折り畳めるように構成した横軸グリップ１２２の他の例を示す説明図である。この横軸グリップ１２２の折り畳み構造は、横軸グリップ１２２を回動自由に支持する回動支持手段により構成される。
【００５５】
この回動支持手段は、垂直に固定されている縦軸グリップ１２１の上部をスライド付き回動支点とし、該スライド付き回動支点を軸支部として横軸グリップ１２２の一端が回動自由に連結されている。これにより、横軸グリップ１２２は縦向きの折り畳み位置(不使用位置)と、横向きの使用位置とに切替えられる。
【００５６】
前記回動支持手段の具体的な構成例を以下に示す。まず、縦軸グリップ１２１は、図１２(Ａ)及び図１２(Ｂ)に示すように、一側面(横軸グリップ取付側)に円形に浅く切欠いた横軸グリップ連結用の嵌合凹部１２３を有している。この嵌合凹部１２３の中央部には横軸グリップ連結方向に貫通された連通孔１２４を介して他側面に円形に深く切欠いたバネ収納凹部１２５が形成されている。このバネ収納凹部１２５にはコイルバネ１２６が収納され、このコイルバネ１２６は断面Ｔ字形のスライドレバー１２７により貫通方向に伸縮自在に支持されている。前記スライドレバー１２７は、断面Ｔ字部分がコイルバネ１２６の他側面側を抜止め係止する円盤状のバネ座１２７ａとして対応し、該バネ座１２７ａの中心部から一側面側に突出する長いレバー状の連結片１２７ｂが連通孔１２４を介して横軸グリップ１２２の軸端部(取付側)１２９に連結される。
【００５７】
そして、横軸グリップ１２２は、連結片１２７ｂの先端部が、横軸グリップ１２２の軸端部１２９に支点ピン１２８を介して回動自由に軸支されている。通常は、図１２(Ａ)及び図１２(Ｂ)に示すように、横軸グリップ１２２の軸端部１２９が縦軸グリップ１２１の嵌合凹部１２３に嵌合した水平支持状態で、且つ内方のコイルバネ１２６が伸張しようとする付勢力を受けて、該横軸グリップ１２２は縦軸グリップ１２１側に引っ張られた状態に付勢支持されている。
【００５８】
この横軸グリップ１２２を折り畳む際は、図１２(Ｂ)に示す状態から横軸グリップ１２２を持って縦軸グリップ１２１から引き離す方向に引っ張ることで、横軸グリップ１２２をコイルバネ１２６の付勢力に抗して横軸グリップ１２２の延出方向にスライドさせることができる。これにより、スライドレバー１２７は連結片１２７ｂの先端部に位置する支点ピン１２８の部分が一側面側の外部に引き出され、横軸グリップ１２２は支点ピン１２８の位置で方向変換可能になる。そして、プレーヤは該横軸グリップ１２２を掴んで９０度下向きに回動させれば、横軸グリップ１２２を縦軸グリップ１２１と同方向に揃えて折り畳むことができる。
【００５９】
図１３は縦軸グリップ１３１から横軸グリップ１３２を着脱することができる一例を示したグリップ構造の説明図である。この横軸グリップ１３２の着脱構造は、横軸グリップ１３２を縦軸グリップ１３１に着脱する着脱支持手段により構成される。
【００６０】
この着脱支持手段は、垂直に固定されている縦軸グリップ１３１の側面に側面着脱部を形成し、該側面着脱部に横軸グリップ１３２の一端に形成した端面着脱部を連結させている。これにより、横軸グリップ１３２は取り外された不使用状態と、取り付けられた使用状態とに切替えられる。
【００６１】
前記着脱支持手段の具体的な構成例を以下に示す。図１３(Ａ)及び図１３(Ｂ)に示すように、縦軸グリップ１３１は側面に横軸グリップ連結用の凹部１３３と、その凹部１３３の中央に雌ねじ孔１３４を形成している。この横軸グリップ連結用の凹部１３３と対応して連結される横軸グリップ１３２の端部中央には雄ねじ軸１３５を形成している。そして、ゴルフパターの使用時には、横軸グリップ１３２の雄ねじ軸１３５を縦軸グリップ１３１の雌ねじ孔１３４に螺着して取り付ける。また、ゴルフパターの不使用時には、横軸グリップ１３２の雄ねじ軸１３５を縦軸グリップ１３１の雌ねじ孔１３４から緩めて取り外す。このように横軸グリップ１３２を縦軸グリップ１３１に着脱できるように螺着接続する構成を有している。このため、プレーヤはゴルフパターの利用状態に応じて横軸グリップ１３２を着脱してゴルフパターのグリップ形状を使い分けることができる。
【００６２】
また、図１３(Ｃ)に示すように、縦軸グリップ１３１の頂部から軸方向に頂部雌ねじ孔１３６を形成しておき、横方向に延出する横軸グリップ１３２を取り外した際に、該横軸グリップ１３２の雄ねじ軸１３５を頂部雌ねじ孔１３６に螺着して連結すれば、縦軸グリップ１３１の軸方向に横軸グリップ１３２が起立状態に連結される。これにより、横軸グリップ１３２は常に縦軸グリップ１３１と一体化して、紛失するおそれがなくなる。
【００６３】
なお、これらの実施例の各グリップの下部は、前記した実施例で述べたシャフト１４と、その下部に備えられたパターヘッド１５とが同様に備えられている。
【００６４】
上述のように、プレーヤがパターヘッドを持ってアドレスした時に、横軸グリップが打球方向に向いてパッティング時の方向指針となるため、プレーヤは目標方向に正確にしかも容易にアドレスすることができる。この結果、プレーヤは両手を伸ばしてグリップを握るような不自然な握り姿勢から解放され、自然な身体の動きでパッティング操作することができる。
【００６５】
この発明の構成と、上述の実施例の構成との対応において、この発明は上述の実施例の構成に限定されるものではなく、請求項に記載される技術思想に基づいて応用することができる。
【図面の簡単な説明】
【００６６】
【図１】ゴルフパターを示す正面図。
【図２】ゴルフパターを示す側面図。
【図３】ゴルフパターの縦軸グリップと横軸グリップを示す要部拡大斜視図。
【図４】プレーヤがアドレスした状態を示す正面図。
【図５】プレーヤがストロークした状態を示す正面図。
【図６】横軸グリップの延出方向とパッティング面の打球方向を示す説明図。
【図７】断面円形の縦軸グリップと断面円形の横軸グリップとからなるグリップの要部拡大斜視図。
【図８】断面円形の縦軸グリップの頂部に断面円形の横軸グリップを水平に延出させた要部拡大斜視図。
【図９】断面円形の縦軸グリップとＰ字形に湾曲させてなる横軸グリップを示す要部拡大斜視図。
【図１０】断面円形の縦軸グリップと先端側を逆つ字形に湾曲させてなる横軸グリップを示す要部拡大斜視図。
【図１１】縦軸グリップと同じ向きに横軸グリップを回動自由に軸支して折り畳めるように構成した横軸グリップの説明図。
【図１２】縦軸グリップと同じ向きに横軸グリップを回動自由に軸支して折り畳めるように構成した他の例の横軸グリップの説明図。
【図１３】縦軸グリップから横軸グリップを着脱できるようにしたグリップ構造を示す説明図。
【符号の説明】
【００６７】
１１…ゴルフパター
１２，７１，８１，９１，１０１，１１１，１２１，１３１…縦軸グリップ
１３，７２，８２，９２，１０２，１１２，１２２，１３２…横軸グリップ
１５ａ…パッティング面
９３，１０３…湾曲部
Ｄ…打球方向
Ｌ…左腕
Ｌ２…左肘
Ｌ４…打球方向ガイド空間
【図１】
2009247658.tif 000003
【図２】
2009247658.tif 000004
【図３】
2009247658.tif 000005
【図４】
2009247658.tif 000006
【図５】
2009247658.tif 000007
【図６】
2009247658.tif 000008
【図７】
2009247658.tif 000009
【図８】
2009247658.tif 000010
【図９】
2009247658.tif 000011
【図１０】
2009247658.tif 000012
【図１１】
2009247658.tif 000013
【図１２】
2009247658.tif 000014
【図１３】
2009247658.tif 000015